(57)【要約】【課題】ステップアップ予告の演出の流れにおいて、どの段階からでも大当りの期待感を持つことができる意外性のある予告演出を備えた遊技機を提供する。【解決手段】特定予告演出、又は特定リーチ演出の出現タイミングを複数備え、１つの出現タイミングをステップアップ予告で第１ステップが出現するタイミング、又はノーマルリーチ成立から所定時間経過後としながら、第１ステップから第２ステップに変化するタイミングをもう一つの出現タイミングとする。【選択図】図１７
2018038651.tif 000002
【特許請求の範囲】
【請求項１】
抽選の結果を演出表示する表示装置を備え、
該表示装置に前記抽選の結果として予め定められた態様が表示されると大当り遊技に移行する遊技機であって、
大当り遊技に移行する期待度を前記演出表示中に示唆する予告演出として、少なくとも、１段階目から所定の段階まで該期待度に応じて演出態様を段階的に変化させるステップアップ予告演出と、該ステップアップ予告演出とは異なる特定予告演出と、を備え、
該特定予告演出は、
少なくとも前記演出表示の開始から所定時間の経過により実行する第１の実行タイミングと、
前記ステップアップ予告演出が所定の段階に変化するタイミングで該ステップアップ予告演出の前記変化の代わりに実行する第２の実行タイミングと、を備える
ことを特徴とする遊技機。
【請求項２】
請求項１記載の遊技機において、
前記演出表示の開始から前記ステップアップ予告演出の１段階目が開始されるまでの時間と、前記所定時間とがほぼ同一時間である
ことを特徴とする遊技機。
【請求項３】
請求項１又は請求項２記載の遊技機において、
前記ステップアップ予告演出の１段階目の出現と、前記特定予告演出の出現とでは、前記特定予告演出の出現の方が大当り遊技に移行する期待度が高い
ことを特徴とする遊技機。
【発明の詳細な説明】
【技術分野】
【０００１】
本発明は、所定の条件が成立したことによって行われる抽選の結果を報知する図柄を備えたパチンコ遊技機に関するものである。
【背景技術】
【０００２】
遊技機の一種であるパチンコ遊技機は、発射した遊技球が始動口に入球することで乱数を抽出し、該抽出した乱数が大当りになる値か否かを抽選（当否判定）し、大当りになる値であったら遊技者に有利な大当り遊技状態を発生させるものが現状の主となる。
【０００３】
抽選の結果は、変動表示後の特別図柄の確定表示によって報知される。現在主流のパチンコ遊技機では、この特別図柄は遊技領域の隅、又は遊技領域外に小さく表示され、遊技領域の中央に配置された演出図柄表示装置に特別図柄の変動及び確定表示に対応した擬似演出が大きく表示される。この擬似演出では、擬似図柄の変動毎にその変動速度が異なっていたり、擬似図柄の大きさが変化したり、キャラクタが出現したりすることで大当りの期待感を示唆する様々な予告演出が実施される。
【０００４】
この予告演出の中には、ステップアップ演出と呼称されるものがある。このステップアップ演出は、擬似図柄の変動中に第１段階から所定の段階まで演出態様を段階的に変化させる構成とし、当否判定の結果が大当りと判定される場合には、ハズレと判定された場合よりも高確率で高い段階まで演出態様を変化させる演出（予告）を行う＜特許文献１＞。
【先行技術文献】
【特許文献】
【０００５】
【特許文献１】特開２０１４−２１７６７２号公報
【発明の概要】
【発明が解決しようとする課題】
【０００６】
ステップアップ演出は、ステップアップの段階が高くなるに従って大当りする信頼度も高くなる演出である。そのため、ステップアップ演出が始まると、遊技者はより高い段階までステップアップすることを期待するが、ステップアップ演出が高い段階までステップアップしなければ期待度は低く、この低い段階でステップアップ演出が終了してしまうと、当該擬似図柄の変動の期待感は早い段階から低いままで終わってしまうという問題がある。
【０００７】
そこで本発明は上記事情に鑑み、ステップアップ演出ではどの段階からでも大当りの期待感を持つことができる意外性のある演出を備えた遊技機の提供を目的とする。
【課題を解決するための手段】
【０００８】
請求項１記載の遊技機は、
抽選の結果を演出表示する表示装置を備え、
該表示装置に前記抽選の結果として予め定められた態様が表示されると大当り遊技に移行する遊技機であって、
大当り遊技に移行する期待度を前記演出表示中に示唆する予告演出として、少なくとも、１段階目から所定の段階まで該期待度に応じて演出態様を段階的に変化させるステップアップ予告演出と、該ステップアップ予告演出とは異なる特定予告演出と、を備え、
該特定予告演出は、
少なくとも前記演出表示の開始から所定時間の経過により実行する第１の実行タイミングと、
前記ステップアップ予告演出が所定の段階に変化するタイミングで該ステップアップ予告演出の前記変化の代わりに実行する第２の実行タイミングと、を備える
ことを特徴とする遊技機である。
【０００９】
抽選は所定の条件が成立したことに基づいて実施される構成であればよく、例えば、始動口への入球に基づいて抽出した乱数が予め定められた値であった場合に当選とする構成（弾球遊技機）としてもよいし、始動レバーの操作に応じて抽出した乱数を用いて、同様に内部抽選を行う構成（回胴式遊技機）としてもよい。
【００１０】
抽選の結果は識別が容易な図柄として表示装置に変動表示され、変動表示後に確定表示される図柄の種類によって抽選の結果が報知される構成が好適であり、演出表示の開始（変動表示の開始）から、所定時間が経過したことを条件に確定表示を行う構成としてもよいし、該所定時間が経過する以前に遊技者の所定の操作（例えば、停止釦の押下）に応じて確定表示を行ってもよい。
【００１１】
予告演出は、表示装置に表示する態様（図柄、背景等）を変化させたり、通常とは異なる表示態様（キャラクタ等）を表示することで実施してもよいし、表示装置以外で実施してもよく、例えば、可動物の動作態様の変化や通常とは異なる可動態様を行うことで実施してもよい。
【００１２】
ステップアップ予告演出は、演出表示が開始されると所定時間後から開始され、実施中の図柄変動の大当り期待度に応じて１段階目から所定の段階まで段階的に演出態様が変化し、大当り期待度が高いほど高い段階まで変化する確率が高く、大当り期待度が低ければ低い段階で変化が終了する構成が好適である。
【００１３】
特定予告演出は、ステップアップ予告演出とは異なる演出構成であればよく、例えば、遊技者が操作可能な演出ボタンを遊技機に備え、所定の契機で演出ボタンの操作を促す態様を表示装置に表示し、当該表示に応じて演出ボタンが操作されると大当り期待度を示唆する予告演出を実施する構成としてもよい。また、第１の実行タイミングと第２の実行タイミングの他にも実行するタイミングを備えてもよい。
【００１４】
請求項２記載の遊技機は、
請求項１記載の遊技機において、
前記演出表示の開始から前記ステップアップ予告演出の１段階目が開始されるまでの時間と、前記所定時間とがほぼ同一時間である  
ことを特徴とする遊技機である。
【００１５】
請求項３記載の遊技機は、
請求項１又は請求項２記載の遊技機において、
前記ステップアップ予告演出の１段階目の出現と、前記特定予告演出の出現とでは、前記特定予告演出の出現の方が大当り遊技に移行する期待度が高い
ことを特徴とする遊技機である。
【発明の効果】
【００１６】
請求項１に記載の遊技機によれば、特定予告演出の実行タイミングが複数あり、ステップアップ予告演出がステップアップするタイミングでも特定予告演出が出現するため、意外性のある予告演出を提供することができる。
【００１７】
請求項２に記載の遊技機によれば、請求項１の遊技機と同様の効果を奏しながら、特定予告演出ではなくステップアップ予告演出の１段階目が開始されたとしても、引き続き特定予告演出の出現を期待しながら遊技を進行することができる。
【００１８】
請求項３に記載の遊技機によれば、請求項１又は請求項２の遊技機と同様の効果を奏しながら、演出表示中にステップアップ予告演出が開始され１段階目からのステップアップで特定予告演出が出現した場合でも、遊技者の期待感を増幅することができる。
【図面の簡単な説明】
【００１９】
【図１】遊技盤１の正面図。
【図２】パチンコ機の電気的構成を示すブロック図。
【図３】パチンコ機の作動内容を示す図表。
【図４】主制御装置８０が実行するメインルーチンを示すフローチャート。
【図５】主制御装置８０が実行する始動入賞処理を示すフローチャート。
【図６】主制御装置８０が実行する当否判定処理を示すフローチャート１。
【図７】主制御装置８０が実行する当否判定処理を示すフローチャート２。
【図８】主制御装置８０が実行する当否判定処理を示すフローチャート３。
【図９】サブ統合制御装置８３が実行する保留数指示コマンド受信処理を示すフローチャート。
【図１０】サブ統合制御装置８３が実行する変動指示コマンド受信処理を示すフローチャート。
【図１１】演出図柄表示装置６に表示する演出表示例１。
【図１２】演出図柄表示装置６に表示する演出表示例２。
【図１３】演出図柄表示装置６に表示する演出表示例３。
【図１４】演出図柄表示装置６に表示する演出表示例４。
【図１５】演出図柄表示装置６に表示する演出表示例５。
【図１６】演出図柄表示装置６に表示する演出表示例６。
【図１７】実施例１において演出図柄表示装置６に表示する演出表示例１。
【図１８】実施例１において演出図柄表示装置６に表示する演出表示例２。
【図１９】実施例２において演出図柄表示装置６に表示する演出表示例１。
【図２０】演出図柄表示装置６に表示する演出表示の変形例１。
【図２１】演出図柄表示装置６に表示する演出表示の変形例２。
【図２２】演出図柄表示装置６に表示する演出表示の変形例３。
【発明を実施するための形態】
【００２０】
以下に本発明の好適な実施形態について説明する。尚、本発明の実施の形態は下記の実施形態例に何ら限定されるものではなく、本発明の技術的範囲に属する種々を採ることができ、各実施例に記載された内容を適宜組み合わせることが可能なことはいうまでもない。
【実施例１】
【００２１】
図１は、遊技盤１の正面図である。図１に示すように遊技盤１には、公知のガイドレール２ａ、２ｂによって囲まれた略円形の遊技領域が、ほぼ中央部に配置されたセンターケース５を境に第１遊技領域３ａと第２遊技領域３ｂとに分けられており、センターケース５の左側が第１遊技領域３ａ、右側が第２遊技領域３ｂとなり、図に示したＡ部まで到達した遊技球は、第２遊技領域誘導路１０１を転動し、第２遊技領域３ｂ（センターケース５の右側）に至り、Ａに到達しない遊技球が第１遊技領域３ａ（センターケース５の左側）を流下することになる。また、この第１遊技領域３ａ，第２遊技領域３ｂには多数の遊技釘が植設されている。
【００２２】
センターケース５は、公知のものと同様に、ワープ入口、ワープ通路、ステージ、演出図柄表示装置６（本発明の表示装置に相当）の画面を臨ませる窓等を備えている。センターケース５の下には、第１始動口１１が配置されている。また、第１始動口１１の左方には、４個の普通入賞口３１が設けられている。なお、この普通入賞口３１は、入球率が変化しない常時入球が可能な普通入賞口である。
【００２３】
センターケース５の右の第２遊技領域３ｂには、普通図柄作動ゲート１７が配置され、普通図柄作動ゲート１７の下には普通電動役物１５からなる第２始動口１２が配置されており、この普通電動役物１５は開閉可能な翼片を供えこの翼片が開放しなければ第２始動口１２への入球は不可となっている。普通電動役物１５からなる第２始動口１２の左下には大入賞口１４が配置されている。
【００２４】
第１始動口１１は、植設された遊技釘及びセンターケース５を構成する成型樹脂により、第２遊技領域３ｂを流下した遊技球が入球困難な構成となっている。これにより、第１始動口１１は、ほぼ第１遊技領域３ａを流下した遊技球のみが入球可能となる。
【００２５】
第２遊技領域３ｂの下部には、複数個のＬＥＤからなる普通図柄表示装置７、普通図柄保留数表示装置８と、７セグメント表示装置からなる第１特別図柄表示装置９、第２特別図柄表示装置１０と、複数個のＬＥＤからなる第１特別図柄保留数表示装置１８、第２特別図柄保留数表示装置１９とが配置されている。この位置に配置した各種表示装置の表示内容を遊技者が確実に認識することは困難となり、遊技中の遊技者は演出図柄表示装置６の表示内容に注目して遊技を行うことになる。
【００２６】
上記のように遊技盤１を構成することによって、第１遊技領域３ａに遊技流を流下させた場合に限り第１始動口１１に遊技球が入球（第１始動口スイッチ１１ａ（図２参照）が遊技球を検出）し、第１特別図柄表示装置９において第１特別図柄（以下、第１特図とも記載）が変動を開始し、所定時間後に停止する。
【００２７】
第２遊技領域３ｂに遊技球を流下させると、普通図柄作動ゲート１７に遊技球が入球（普通図柄作動スイッチ１７ａ（図２参照）が遊技球を検出）し、普通図柄表示装置７で普通図柄（以下、普図とも記載）が変動表示を開始し、所定時間後に停止した普図の態様に応じて、後述する普通電役ソレノイド１２ｂ（図２参照）を駆動させる。普通電役ソレノイド１２ｂが駆動すると、ほぼ同期して普通電動役物１５の翼片が開放して、第２始動口１２への入球（第２始動口スイッチ１２ａ（図２参照）の検出）が可能となるように構成されている。第２始動口１２である普通電動役物１５に遊技球が入球（第２特図始動スイッチ１２ａ（図２参照）が遊技球を検出）すると、第２特別図柄表示装置１０において第２特別図柄（以下、第２特図とも記載）が変動表示を開始し、所定時間後に停止する。
【００２８】
本実施例では、第２始動口１２は普通電動役物１５の翼片が駆動しなければ遊技球が入球不可能な構成となっているが、入球が困難なだけで入球可能な構成としてもよい。
【００２９】
第１特別図柄及び第２特別図柄の変動中は、演出図柄表示装置６において各々の特別図柄（以降、特図ともいう）の変動に連動した演出態様を表示する。また、第１特別図柄と第２特別図柄は、同時に変動することはなく、第１始動口１１と第２始動口１２への入球順に関係なく、第２特別図柄の変動（当否判定）を優先して実施する。具体的には、第１特別図柄の保留記憶がある場合、第２特別図柄の変動が停止し、且つ、第２特別図柄保留記憶が無い状態となって、第１特別図柄保留記憶分の変動（当否判定）を開始するが、第１特図と第２特図とが同時変動可能な構成であっても発明の効果は同様に発揮する。
【００３０】
第１特別図柄及び第２特別図柄の確定表示した態様に応じて、後述する大入賞口ソレノイド１４ｂ（図２参照）が駆動する。大入賞口ソレノイド１４ｂが駆動すると、ほぼ同期して大入賞口１４の扉部材が開放し、大入賞口１４への遊技球の入球（カウントスイッチ１４ａ（図２参照）が遊技球を検出）が可能となるように構成されている。
【００３１】
普通図柄作動ゲート１７、普通電動役物１５からなる第２始動口１２、及び大入賞口１４とは、第２遊技領域３ｂ（センターケース５の右側）に配置されているため、大当り遊技状態、及び開放延長状態に移行した場合は、発射した遊技球の全てが第２遊技領域３ｂに到達するように発射ハンドルを調整することになる。
【００３２】
図２は、パチンコ機の電気的構成を示すブロック図となり、主制御装置８０を中心にして構成されている。なお、このブロック図には、単に信号を中継するだけのためのいわゆる中継基板及び電源回路等は記載していない。また、詳細な図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本実施例では発射制御装置８４にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
【００３３】
主制御装置８０には、第１始動口１１に入球した遊技球を検出する第１始動口スイッチ１１ａ、第２始動口１２に入球した遊技球を検出する第２始動口スイッチ１２ａ、普通図柄を作動させる普通図柄作動ゲート１７に進入した遊技球を検出する普通図柄作動スイッチ１７ａ、大入賞口１４に入球した遊技球を計数するためのカウントスイッチ１４ａ、普通入賞口３１に入球した遊技球を検出する普通入賞口スイッチ３１ａ等の検出信号が入力され、裏配線中継端子板７５を介して、前枠（ガラス枠）および内枠が閉鎖しているか否か検出するガラス枠開放スイッチ３５、内枠開放スイッチ３６の検出信号が入力される。
【００３４】
主制御装置８０は搭載しているプログラムに従って動作して、上述の検出信号などに基づいて遊技の進行に関わる各種のコマンドを生成して払出制御装置８１及びサブ統合制御装置８３に出力する。また主制御装置８０は、図柄表示装置中継端子板９０を介して接続されている第１特別図柄表示装置９、第２特別図柄表示装置１０及び普通図柄表示装置７の表示、第１特別図柄保留数表示装置１８、第２特別図柄保留数表示装置１９、普通図柄保留数表示装置８の点灯を制御する。
【００３５】
更に、主制御装置８０は、大入賞口ソレノイド１４ｂを制御することで大入賞口１４の開閉を制御し、普通電動役物ソレノイド１７ｂを制御することで普通電動役物１５の開閉を制御する。主制御装置８０からの出力信号は試験信号端子にも出力される他、図柄変動や大当り（特別遊技ともいう）等の管理用の信号が外部接続端子７８に出力されてホールコンピュータ８７に送られる。
【００３６】
主制御装置８０と払出制御装置８１とは双方向通信が行われ、払出制御装置８１は、主制御装置８０から送られてくるコマンドに応じて払出モータ２０を制御して賞球を払い出す。本実施例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
【００３７】
なお、払出制御装置８１はガラス枠開放スイッチ３５、内枠開放スイッチ３６、満杯スイッチ２２、球切れスイッチ２３からの信号が入力され、満杯スイッチ２２により下皿６３が満タンであることを示す信号が入力された場合及び球切れスイッチ２３により球タンクに遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
【００３８】
また、払出制御装置８１はＣＲユニット端子板２４を介してプリペイドカードユニットと交信することで払出モータ２０を作動させ、貸し球を排出する。払出された貸し球は払出スイッチ２１に検出され、検出信号は払出制御装置８１に入力される。なお、ＣＲユニット端子板２４は精算表示基板２５とも双方向通信可能に接続されており、精算表示基板２５には、遊技球の貸出しを要求するための球貸ボタン、精算を要求するための返却ボタン、残高表示器が接続されている。
【００３９】
また、払出制御装置８１は、外部接続端子７８を介して賞球に関する情報、枠（内枠、前枠）の開閉状態を示す情報などをホールコンピュータに送信するほか、発射制御装置８４に対して発射停止信号を送信する。なお本実施例では遊技球を払い出す構成であるが、入賞等に応じて発生した遊技球を払い出さずに記憶する封入式の構成にしても良い。
【００４０】
発射制御装置８４は発射モータ３０を制御して遊技球を発射させる。なお、発射制御装置８４には払出制御装置８１以外に発射ハンドルからの回動量信号、タッチスイッチ２８からのタッチ信号、発射停止スイッチ２９から発射停止信号が入力される。回動量信号は、遊技者が発射ハンドルを操作することで出力され、タッチ信号は遊技者が発射ハンドルを触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドルを触っていても遊技球は発射できないようになっている。
【００４１】
サブ統合制御装置８３はＣＰＵ、ＲＯＭ、ＲＡＭ等の電気部品を備えており、搭載するＲＯＭに記憶されたプログラムに従ってＣＰＵにて処理を実行し、入力される遊技スイッチ６７ａの入力ならびに主制御装置８０から入力されるコマンドに基づいて演出に関わる各種コマンド等を生成し、演出図柄制御装置８２に出力する。
【００４２】
サブ統合制御装置８３の入力端には、遊技者により操作可能な遊技ボタンの操作を検出する遊技ボタンスイッチ６７ａが接続されている。サブ統合制御装置８３の出力端には、前枠５２及び遊技盤１に備えられる各種ＬＥＤ・ランプ２６と、前面枠及びスピーカユニットに備えられるスピーカ６６と、が接続されている。また、サブ統合制御装置８３には、音量を調節する音量調節スイッチ８３ａが備えられ、音量調節スイッチ８３ａの状態（位置）を検出し、その検出結果とスピーカ６６へ送信する内容とを判断し、スピーカ６６から出力する音量をソフト的に制御するように構成されている。
【００４３】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカからの音声出力を制御し、ランプ制御装置としての機能部はランプ制御用のデータに基づいてランプドライバを作動させることによって各種ＬＥＤ、ランプ２６を制御する。
【００４４】
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して擬似図柄等の演出画像を表示する。尚、サブ統合制御装置８３と主制御装置８０とは間に演出中継端子板６５を介した主制御装置８０からサブ統合制御装置８３への一方向通信回路として構成され、サブ統合制御装置８３と演出図柄制御装置８２とはサブ統合制御装置８３から演出図柄制御装置８２への一方向通信回路として構成されている。
【００４５】
次に、図３の図表を用いて、遊技機の作動内容の概要について説明する。本実施形態におけるパチンコ機は確率変動機として構成され、第１始動口１１及び第２始動口１２への遊技球入球に基づく当否判定は、通常確率状態（低確率状態）と、該通常確率状態に比べて大当りとなる確率が高い高確率状態とのいずれかの遊技状態で実施される。本実施例では通常（低）確率が１／３００、高確率が１／３０に設定されている。なお、小当り確率は、通常遊技状態と高確率遊技状態とで同一の１／１５０となり、当選すると大入賞口１４が１．６秒間開放する。
【００４６】
また、普通電動役物１５（第２始動口１２）の作動契機と作動時間を変化させる開放延長機能を備えており、開放延長機能未作動時では、普通図柄の１回の当りに対して普通電動役物１５は０．２秒の開放動作を１回行い、開放延長機能作動時（開放延長状態）では、普通図柄の１回の当りに対して普通電動役物１５は１．０秒の開放動作を３回行うよう設定されている。また、開放延長機能が作動する遊技状態（開放延長状態）での第１及び第２特別図柄の変動パターン（変動時間）は、開放延長機能が未作動時の遊技状態で使用する変動パターン選択テーブルよりも平均変動時間が短くなるように設定された変動パターン選択テーブルを用いて選択される構成となっている。これにより、開放延長機能作動時の単位時間あたりの特別図柄の変動回数が、開放延長機能未作動時よりも増加する構成（時短状態）となっており、この時短機能は、開放延長機能の作動開始と終了の契機と同じくして作動する。
【００４７】
尚、開放延長機能作動時には、普通図柄の変動時間を短縮（単位時間当りの普通図柄の変動回数が増加）する時短機能も作動する構成となっている。具体的には、開放延長機能未作動時となる通常時の普通図柄の変動時間は６．２秒に設定され、開放延長機能作動時の普通図柄の変動時間は０．７秒に設定されている。これにより、開放延長機能作動時では単位時間当りの普通図柄の変動回数が増加し、普通電動役物の作動契機を大きく増加させている。よって、単位時間当たりの普通電動役物への入球率が増加し、第２特別図柄の変動回数が増えるとともに持球の減少が抑えられる。
【００４８】
大当り遊技は、大入賞口１４が全ての大当り時に１５ラウンド（１ラウンド最高２９．０秒開放又は９カウント）の開放動作を行う。大当り図柄には確変図柄と通常図柄とがあり、特別図柄が確変図柄で大当りした場合は、大当り遊技終了後から次回の大当りまで高確率遊技状態に移行し、通常図柄で大当りした場合は、大当り遊技終了後、特別図柄が１００回の変動表示を行うまで時短（開放延長）状態となる。但し、特別図柄は遊技領域３の右下にその表示装置（第１特別図柄表示装置９、第２特別図柄表示装置１０）が配置され、遊技者が判別困難な態様で表示されるため、遊技者は演出図柄表示装置６に表示される擬似図柄の種類によって大当り遊技終了後の遊技状態を認識するが、本実施例では大当り遊技中に擬似大当り図柄が変化（通常図柄から確変図柄へ変化）する昇格演出を複数種類備えている。
【００４９】
次に、図４を用いて、主制御装置８０が実行するメインルーチンを説明する。メインルーチンは、約２ｍｓ毎のハード割り込みにより定期的に実行される。本実施形態では、Ｓ１０〜Ｓ７５までの１回だけ実行される処理を「本処理」と称し、この本処理を実行して余った時間内に時間の許す限り繰り返し実行されるＳ８０の処理を「残余処理」と称する。「本処理」は上記割り込みにより定期的に実行されることになる。
【００５０】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、ほとんどが電源投入時である。電源投入時にはＲＡＭの所定領域の値が所定値と異なる値となっている。
【００５１】
Ｓ１０が否定判定、即ち、正常割り込みでないと判断されると（Ｓ１０：ｎｏ）、初期設定(例えば前記メモリの所定領域への所定値を書き込み、特別図柄及び普通図柄を初期図柄とする等のメモリの作業領域への各初期値の書き込み等）が為され（Ｓ１５）、残余処理（初期乱数更新処理（Ｓ８０））に移行する。
【００５２】
正常割り込みとの肯定判断がなされると（Ｓ１０：ｙｅｓ）、初期値乱数更新処理（Ｓ２０）、大当り決定用乱数更新処理（Ｓ２５）、大当り図柄決定用乱数１更新処理（Ｓ３０）、大当り図柄決定用乱数２更新処理（Ｓ３５）、小当り図柄決定用乱数更新処理（Ｓ４０）、当り決定用乱数更新処理（Ｓ４５）、リーチ判定用乱数更新処理（Ｓ５０）、変動パターン決定用乱数更新処理（Ｓ５５）が行われる。
【００５３】
続く入賞確認処理（Ｓ６０）では、第１始動口１１、第２始動口１２への入賞、大入賞口１４への入賞、普通入賞口３１への入賞及び普通図柄作動ゲート１７への入球の確認、及びパチンコ機５０に設けられ主制御装置８０に接続された各スイッチ類の入力処理が実行される。各始動口及び作動口への入賞（入球）確認処理（始動入賞処理）については、図５を用いて後述する。
【００５４】
続いて、当否判定処理（Ｓ６５）、画像出力処理等の各出力処理（Ｓ７０）、不正監視処理（Ｓ７５）を行って、次に割り込み信号が入力されるまでの残余時間内には初期乱数更新処理（Ｓ８０）をループ処理する。
【００５５】
次に、図５を用いて、主制御装置８０が実行する始動入賞処理を説明する。本処理は、図４に示した入賞確認処理（Ｓ６０）のサブルーチンの一つである（保留記憶手段、先読判定手段を含む）。以後、第１始動口１１に遊技球が入球したときに格納される保留記憶を第１保留記憶、第２始動口１２に遊技球が入球したときに格納される保留記憶を第２保留記憶、普通図柄始動ゲート１７を遊技球が通過したときに格納される保留記憶を普図保留記憶として説明する。
【００５６】
本処理を開始すると、第１始動口スイッチ１１ａが遊技球を検出したか否か判定する(Ｓ１００)。肯定判定であれば(Ｓ１００：ｙｅｓ）、主制御装置８０に既に格納されている第１保留記憶数が上限数(本実施例では４個)未満であるか否か判定する(Ｓ１０５)。肯定判定であれば(Ｓ１０５：ｙｅｓ）、当否乱数等の各種乱数値（大当り決定用乱数、大当り図柄決定用乱数１，２、小当り図柄決定用乱数、リーチ判定用乱数、変動パターン決定用乱数）を抽出し、第１保留記憶として主制御装置８０の保留記憶数に応じた記憶領域に格納し、第１保留記憶の数を示す第１保留記憶カウンタに１を加算する(Ｓ１１０) （保留記憶手段）。
【００５７】
Ｓ１１０に続いては、記憶した第１保留記憶の先読判定を行う（Ｓ１１５）。具体的には、大当り決定用乱数の値が大当りを生起させる値か否かを確認し、大当り値なら大当り図柄の種類を確認する。大当り判定がハズレなら、小当りを生起する値か否かを確認し、小当り値なら小当り図柄の種類を確認する。大当りでも小当りでもないハズレなら、ハズレ図柄の種類を確認する（先読判定手段）。
【００５８】
続いて、Ｓ１１５の先読判定結果に基づいて第１先読判定コマンドを生成してサブ統合制御装置８３に送信し（Ｓ１２０）、Ｓ１１０で加算した第１保留記憶カウンタの値を示す第１保留数指示コマンドをサブ統合制御装置８３に送信する（Ｓ１２５）。本実施例では、第１先読判定コマンドと第１保留数指示コマンドとを個別のコマンドとしてサブ統合制御装置８３に送信しているが、この二つのコマンド内容を一つのコマンドに合成してサブ統合制御装置８３に送信する構成も考えられる。また、保留記憶数コマンドの内容は、Ｓ１１０で加算した第１保留記憶カウンタの値を示すものではなく、＋１（１増）を示すものでもよい。
【００５９】
Ｓ１２５の処理、又はＳ１００、Ｓ１０５の否定判定（Ｓ１００：ｎｏ、Ｓ１０５：ｎｏ）に続いては、第２始動口スイッチ１２ａが遊技球を検出したか否か判定する(Ｓ１３０)。否定判定なら（Ｓ１３０：ｎｏ）Ｓ１６０に進み、肯定判定なら(Ｓ１３０：ｙｅｓ）、主制御装置８０に格納されている第２保留記憶の数が上限数(＝４個)未満か否か判定する(Ｓ１３５)。否定判定なら（Ｓ１３５：ｎｏ）Ｓ１６０に進み、肯定判定であれば(Ｓ１３５：ｙｅｓ）、当否乱数等の各種乱数値（大当り決定用乱数、大当り図柄決定用乱数１，２、小当り図柄決定用乱数、リーチ判定用乱数、変動パターン決定用乱数）を抽出し、第２保留記憶として主制御装置８０の保留記憶数に応じた記憶領域に格納し、第２保留記憶の数を示す第２保留記憶カウンタに１を加算し（Ｓ１４０）、Ｓ１１５と同様に記憶した第２保留記憶の先読判定を行う（Ｓ１４５）。
【００６０】
続いて、Ｓ１４５の判定結果に基づいて第２先読判定コマンドを生成しサブ統合制御装置８３に送信し（Ｓ１５０）、Ｓ１４０で加算した第２保留記憶カウンタの値を示す第２保留数指示コマンドをサブ統合制御装置８３に送信して（Ｓ１５５）Ｓ１６０に進む。
【００６１】
Ｓ１６０では、普通図柄作動スイッチ１７ａが遊技球を検出したか否か判定する(Ｓ１６０)。否定判定なら（Ｓ１６０：ｎｏ）リターンに抜け、肯定判定なら(Ｓ１６０：ｙｅｓ）、主制御装置８０に格納されている普図保留記憶数が上限数(＝４個)未満か否か判定する(Ｓ１６５)。否定判定なら（Ｓ１６５：ｎｏ）リターンに抜け、肯定判定であれば(Ｓ１６５：ｙｅｓ）、抽出した当り判定用乱数と当り図柄決定用乱数とを普図保留記憶として記憶し、普図保留記憶数を示す普図保留記憶カウンタに１を加算し（Ｓ１７０）、加算した普図保留記憶カウンタの値を示す普図保留記憶数指示コマンドをサブ統合制御装置８３に送信し（Ｓ１７５）、リターンする。
【００６２】
サブ統合制御装置８３は第１及び第２保留記憶数指示コマンドを受信すると、受信したコマンドが示す保留記憶数に応じて演出図柄表示装置６上で表示する各保留記憶数を変化（保留図柄を表示）させる指示信号を演出図柄制御装置８２に送信する。また、本実施例では、演出図柄表示装置６上では普通図柄の保留記憶数表示は行わないが、普図保留記憶数指示コマンドの受信に応じて表示する構成としてもよいし、普図保留記憶数指示コマンド自体を送信しない構成としてもよい。また、普図の先読判定を実施し判定結果をサブ統合制御装置８３に送信する構成も考えられる。これにより、普通電動役物（第２始動口１２）の開放を期待させる先読予告の実施が可能となる。
【００６３】
次に、図６，７，８を用いて、主制御装置８０が実行する当否判定処理を説明する。本処理を開始すると、条件装置が作動中か否か、即ち、大当り中か否か判定し（Ｓ２００）、肯定判定なら（Ｓ２００:ｙｅｓ）リターンし、否定判定なら（Ｓ２００：ｎｏ）、第１又は第２特別図柄が変動中か否か判定し（Ｓ２０５）、否定判定なら（Ｓ２０５：ｎｏ）、第１又は第２特別図柄が確定表示中か否か判定し（Ｓ２１０）、否定判定なら（Ｓ２１０：ｎｏ）、第２保留記憶が有るか否か判定する（Ｓ２１５）。肯定判定なら（Ｓ２１５：ｙｅｓ）、Ｓ２２５に進み、否定判定なら（Ｓ２１５：ｎｏ）第１保留記憶が有るか否か判定し（Ｓ２２０）、否定判定なら（Ｓ２２０：ｎｏ）リターンに抜け、肯定判定なら（Ｓ２２０：ｙｅｓ）Ｓ２２５に進む。Ｓ２１５とＳ２２０の判定順により、第２保留記憶の当否判定を優先して実施する構成となっている。
【００６４】
尚、本実施例では、特別図柄が複数（第１特別図柄と第２特別図柄）の構成となっているが、特別図柄を１つとした構成であっても本発明の効果に変わりはない。また、２種類の特図が同時に変動可能な構成であっても本発明の効果に変わりはない。
【００６５】
Ｓ２２５では時短フラグの値が０か否か判定する（Ｓ２２５）。時短フラグは、主制御装置８０が記憶する値であり、値が「１」のときは時短状態、及び開放延長状態であることを、値が「０」のときは非時短状態、非開放延長状態であることを主制御装置８０が判断するための値である。肯定判定なら（Ｓ２２５：ｙｅｓ）Ｓ２３０に進み、否定判定なら（Ｓ２２５：ｎｏ）時短状態中の処理に進む。時短状態中の処理は、特図の変動時間を設定する変動パターン選択テーブルのみが異なる処理となるため説明は割愛する。
【００６６】
Ｓ２３０では、保留記憶のシフト処理を行い（Ｓ２３０）、これにより最も古い保留記憶を当否判定の対象とするとともに、保留記憶数を示す保留記憶カウンタから１を減算する。本実施例では、保留数が増加した時のみ保留数指示コマンドをサブ統合制御装置８３に送信する構成としているが、この減算に応じて、サブ統合制御装置８３に減少を示す保留数指示コマンドを送信する構成としてもよい。
【００６７】
Ｓ２３０に続いては、当否判定の対象とした保留記憶の大当り判定用乱数の値と予め設定された当否判定テーブルとを比較して、乱数値が当否判定テーブル内の判定値と一致するか比較する（Ｓ２３５）。当否判定テーブルは通常確率（低確率１／３００）用と高確率（１／３０）用の２種類のテーブルが設定してあり、当否判定時の遊技状態が通常確率状態（確変フラグ「０」）であれば通常確率用の当否判定テーブルを用いて比較し、高確率状態（確変フラグ「１」）であれば高確率用の当否判定テーブルを用いて比較する。
【００６８】
続くＳ２４０の処理では、大当り判定用乱数の比較処理（Ｓ２３５）の結果が大当り（判定値と同一）であるか否か判定する（Ｓ２４０）。肯定判定なら（Ｓ２４０：ｙｅｓ）、図柄モード設定処理を行う（Ｓ２４５）。図柄モード設定処理では、判定対象となる保留記憶の大当り図柄決定用乱数１に基づいて、大当り遊技の内容と大当り遊技終了後の遊技状態を決定する図柄モードを設定する。続いて、設定した図柄モードの種類と判定対象となる保留記憶の大当り図柄決定用乱数２に基づいて大当り図柄選択処理を行う（Ｓ２５０）。これは、図柄モードの設定によって決定した大当りの種類（大当り遊技の内容と大当り遊技終了後の遊技状態）と大当り図柄との関連付けを行うために、図柄モードの種類毎に設定された図柄郡の中から表示する図柄を決定する処理となる。
【００６９】
次にＳ２４５で設定した図柄モードに基づいてモードバッファ設定処理を行う（Ｓ２５５）。モードバッファは当否判定時に決定した大当り遊技終了後の遊技状態の内容を、該遊技状態を設定する大当り遊技終了時まで記憶する装置である（大当り遊技中は遊技状態を設定する確変フラグ及び時短フラグをクリアする必要があるため）。モードバッファとしては、具体的な遊技内容（確変機能および開放延長機能（時短機能）の作動とその作動回数）は記憶せず、複数種類の具体的な遊技内容のそれぞれに対応した値を記憶する構成となっている。
【００７０】
次に、Ｓ２４５で設定した図柄モードに基づいて大当り遊技の内容となる大入賞口の開放パターン設定処理を行い（Ｓ２６０）、当否判定の対象とした保留記憶のリーチ決定用乱数および変動パターン決定用乱数に基づいて、第１特別図柄表示装置９又は第２特別図柄表示装置１０、及び演出図柄表示装置６に表示する図柄の変動時間となる変動パターンを、変動パターン選択テーブルから選択する（Ｓ２６５）。
【００７１】
次に、選択した大当り図柄および変動パターンの情報を、変動指示コマンドとしてサブ統合制御装置８３へ送信する（Ｓ２７０）。この情報を受信したサブ統合制御装置８３からの指示に基づいて、演出図柄制御装置８２は演出図柄表示装置６を制御し、大当り図柄および変動パターンの情報に対応する図柄の変動表示を開始する。サブ統合制御装置８３への送信とほぼ同時に、主制御装置８０は、第１特別図柄表示装置９又は第２特別図柄表示装置１０を直接制御して特別図柄の変動を開始する。
【００７２】
Ｓ２４０が否定判定、即ちハズレなら（Ｓ２４０：ｎｏ）、Ｓ２３５の比較処理の結果が小当りであるか否か判定し（Ｓ２８０）、肯定判定なら（Ｓ２８０：ｙｅｓ）、特図の種類、遊技状態、及び小当り図柄決定用乱数に基づいて小当り図柄を選択し（Ｓ２８５）、続いて小当り遊技の開放パターン設定処理を行い（Ｓ２６０）、小当り図柄に対応する前述した変動パターン選択処理を行い（Ｓ２６５）、小当り図柄および変動パターンの情報となる変動指示コマンドをサブ統合制御装置８３へ送信する（Ｓ２７０）。この情報を受信したサブ統合制御装置８３からの指示に基づき演出図柄制御装置８２は演出図柄表示装置６を制御し、小当り図柄および変動パターンの情報に基づいた第１又は第２特図に対応した演出図柄の変動表示を開始する。サブ統合制御装置８３への送信とほぼ同時に、主制御装置８０は、第１特別図柄表示装置９又は、第２特別図柄表示装置１０を直接制御して特別図柄の変動を開始する。
【００７３】
Ｓ２８０が否定判定なら（Ｓ２８０：ｎｏ）、ハズレ図柄を選択し（Ｓ２９０）、続いてハズレ図柄に対応する変動パターン設定処理を行い（Ｓ２６５）、ハズレに関する図柄及び変動パターンの情報となる変動指示コマンドをサブ統合制御装置８３へ送信する（Ｓ２７０）。この情報を受信したサブ統合制御装置８３からの指示に基づき演出図柄制御装置８２は演出図柄表示装置６を制御し、ハズレ図柄および変動パターンの情報に基づいた擬似図柄の変動表示を開始する。サブ統合制御装置８３への送信とほぼ同時に主制御装置８０は、第１特別図柄表示装置９又は第２特別図柄表示装置１０を直接制御して特別図柄の変動を開始する。
【００７４】
次に、Ｓ２０５が肯定判定、即ち、特別図柄の変動中であれば（Ｓ２０５：ｙｅｓ）、図７のフローチャートに進み、特別図柄の変動時間（Ｓ２６５で選択された変動パターンに基づく）が経過したか否か判定する（Ｓ３００）。否定判定なら（Ｓ３００：ｎｏ）リターンし、肯定判断なら（Ｓ３００：ｙｅｓ）、確定コマンドをサブ統合制御装置８３に送信し、第１特別図柄表示装置９又は第２特別図柄表示装置１０を制御してＳ２５０，Ｓ２８５又はＳ２９０で選択した確定図柄を確定表示させる（Ｓ３０５）。確定コマンドを受信したサブ統合制御装置８３は演出図柄制御装置８２に予め選択されていた擬似図柄を確定表示させる指示信号を送信し、演出図柄制御装置８２は、その信号に応じて演出図柄表示装置６を制御して擬似図柄を確定表示させる。これにより、第１又は第２特別図柄と、演出図柄表示装置６に表示される擬似図柄の変動の開始と終了とが同じタイミングになる（同期する）。なお、変動指示コマンドで変動時間が指示されるため、確定コマンドを送信しなくてもサブ統合制御装置８３が、変動指示コマンドのみに基づいて変動時間が終了に達すると確定表示を行う構成でもよい。
【００７５】
Ｓ３０５に続いては、第１特別図柄表示装置９又は第２特別図柄表示装置１０で確定表示させた第１又は第２特別図柄が、大当り図柄か否か判定し（Ｓ３１０）、肯定判定なら（Ｓ３１０：ｙｅｓ）、確定図柄の表示設定処理（確定図柄で表示させておく時間の設定）を行い（Ｓ３１５）、確変フラグが１か否か（高確率状態か否か）判定し（Ｓ３２０）、肯定判定なら（Ｓ３２０：ｙｅｓ）、確変フラグに０をセットし（Ｓ３２５）、Ｓ３２５、又はＳ３２０の否定判定（Ｓ３２０：ｎｏ）に続いては、時短フラグが１か否か判定し（Ｓ３３０）、肯定判定なら（Ｓ３３０：ｙｅｓ）、時短フラグに０をセットし（Ｓ３３５）、Ｓ３３５、又はＳ３３０の否定判定（Ｓ３３０：ｎｏ）に続いては、条件装置作動開始処理（Ｓ３４０）と、役物連続作動装置作動開始処理（Ｓ３４５）を行い、大当りフラグに１をセットし（Ｓ３４８）、大当り演出指示コマンドをサブ統合制御装置８３に送信する（Ｓ３５０）。
【００７６】
一方、Ｓ３１０が否定判定、即ち、確定図柄が大当りでなければ（Ｓ３１０：ｎｏ）、確定図柄の表示設定処理（確定図柄で表示させておく時間の設定）を行い（Ｓ３６０）、確変フラグが１か否か判定し（Ｓ３６５）、肯定判定なら（Ｓ３６５：ｙｅｓ）、確変カウンタからデクリメントし（Ｓ３７０）、確変カウンタが０か否か判定し（Ｓ３７５）、肯定判定なら（Ｓ３７５：ｙｅｓ）、確変フラグに０をセットする（Ｓ３８０）。続いて、Ｓ３８０、又はＳ３６５，Ｓ３７５が否定判定なら（Ｓ３６５：ｎｏ，Ｓ３７５：ｎｏ）、時短フラグが１か否か判定し（Ｓ３８５）、肯定判定なら（Ｓ３８５：ｙｅｓ）、時短カウンタからデクリメントし（Ｓ３９０）、時短カウンタが０か否か判定し（Ｓ３９５）、肯定判定なら（Ｓ３９５：ｙｅｓ）、時短フラグに０をセットする（Ｓ４００）。Ｓ３６５からＳ４００によって、特別図柄が当否判定に応じたハズレ確定表示を行うごとに、高確率状態を規制する確変カウンタと時短（開放延長）状態を規制する時短カウンタとが計数され、これらのカウンタが所定値に至ることで遊技状態が変化（時短（開放延長）状態が終了し、通常状態（通常確変状態で、且つ、通常開放状態）に移行）する。
【００７７】
続いて、Ｓ４００、又はＳ３８５，Ｓ３９５が否定判定なら（Ｓ３８５：ｎｏ，Ｓ３９５：ｎｏ）、確定表示された特別図柄が小当り図柄か否かを判断し（Ｓ４０５）、肯定判定なら（Ｓ４０５：ｙｅｓ）、小当り遊技の作動開始を行う処理を行い（Ｓ４１０）、Ｓ３５０，Ｓ４１０、又はＳ４０５の否定判定（Ｓ４０５：ｎｏ）に続いては、上記処理の結果に基づく遊技状態を示す状態指定コマンドをサブ統合制御装置８３に送信し（Ｓ３５５）リターンする。
【００７８】
図６に戻り、Ｓ２１０が肯定判定、即ち、確定図柄の表示中なら（Ｓ２１０：ｙｅｓ）、図８のフローチャートに進み、確定図柄表示時間が経過したか否か判定し（Ｓ４５０）、否定判定なら（Ｓ４５０：ｎｏ）リターンし、肯定判定なら（Ｓ４５０：ｙｅｓ）、確定図柄表示終了処理（Ｓ４５５）を行い、第１特別図柄表示装置９又は第２特別図柄表示装置１０を制御して特別図柄の確定表示を終了させ、サブ統合制御装置８３に擬似図柄の確定表示を終了させる指示信号を送信してリターンする。
【００７９】
次に、図９に示したフローチャートを用いて、サブ統合制御装置８３が実行する保留数指示コマンド受信処理を説明する。本処理を開始すると、保留数指示コマンドを受信したか否か判定する（Ｓ９００）。否定判定なら（Ｓ９００：ｎｏ）、リターンし、肯定判定なら（Ｓ９００：ｙｅｓ）、サブ統合制御装置８３が備える保留数カウンタに＋１し（Ｓ９０５）、演出図柄制御装置８２に保留数表示信号を送信し（Ｓ９１０）、リターンする。保留数カウンタの値は、後述する変動指示コマンド受信処理において変動指示コマンドを受信するごとにデクリメントされる。これにより、絶えず主制御装置８０が記憶する保留記憶の数と同一数がサブ統合制御装置８３でも管理される。
【００８０】
次に、図１０に示したフローチャートを用いて、サブ統合制御装置８３が実行する変動指示コマンド受信処理を説明する。本処理は、主制御装置８０から受信する変動指示コマンドの内容と、該受信時にサブ統合制御装置８３が抽出する乱数値とに基づいて、演出図柄表示装置６に表示する演出態様を選択し、選択した演出態様の表示を演出図柄制御装置８２に指示する処理となる。
【００８１】
本処理を開始すると、変動指示コマンドを受信したか否か判定し（Ｓ９５０）、否定判定なら（Ｓ９５０:ｎｏ）リターンし、肯定判定なら（Ｓ９５０：ｙｅｓ）、振分乱数を抽出し（Ｓ９５５）、受信した変動指示コマンドが示す内容とＳ９５５で抽出した振分乱数とに基づいて、サブ統合制御装置８３が記憶する複数種類の演出態様の中から演出図柄表示装置６に表示する演出態様と確定表示する図柄とを選択し（Ｓ９６０）、選択した演出態様の表示指示信号を演出図柄制御装置８２に送信し（Ｓ９６５）リターンする。後述するステップアップ予告（本発明のステップアップ予告演出に相当）や、セリフ予告演出、期待度メータ予告演出の特定予告演出（本発明の特定予告演出に相当）や、達吉リーチ、修行リーチといった特定リーチ演出の選択及び組合せも、演出態様選択処理（Ｓ９６０）において行われる。
【００８２】
図１１は、演出図柄表示装置６に表示する擬似図柄変動時の画面の基本構成を示す。画面の中央から下部の全体にかけて擬似図柄表示領域となり、左右中（停止順）の擬似図柄が上から下への変動表示を行う。この擬似図柄表示領域はＳ９６０の演出態様選択処理で選択された演出内容に応じてその表示領域が変化（拡大縮小に応じて移動）する。また、擬似図柄表示領域の右上には、変動開始時からキャラクタ（熊の達吉）を表示する。
【００８３】
図１２は、演出図柄表示装置６に表示するステップアップ予告（本発明のステップアップ予告演出に相当）の表示例となる。本実施例のステップアップ予告は、変動する擬似図柄の大当り期待度に応じて最高４段階まで変化する（期待度が高い場合に４段階まで変化する割合が高い）。
【００８４】
図１２（１）は第１ステップの表示態様を示し、擬似図柄の変動開始後、画面右上のキャラクタ（図１１参照）が消え、画面中央に小さな窓枠として出現する。当然、この時点での大当り期待度は低い。
【００８５】
図１２（２）は第２ステップを示し、（１）の状態から窓枠が拡大し、中のキャラクタが変化している。第１ステップから窓枠の大きさが拡大しているが、画面下部の左中右の擬似図柄は全て視認可能としている。第１ステップよりも期待度は高くなるが、演出の流れの中ではまだ低い。
【００８６】
図１２（３）は第３ステップを示し、（２）の状態からさらに窓枠が拡大しキャラクタが変化している。第３ステップまで窓枠が拡大すると変動中の擬似図柄が隠れ、視認が不可となり、この段階までステップアップ予告が変化すると、擬似図柄変動がリーチに発展することが確定し、大当り期待度が大きくなる。
【００８７】
図１２（４）は第４ステップを示し、（３）の状態からさらに画面いっぱいまで窓枠が拡大し窓枠の中に最終キャラクタを表示する。第４ステップまで変化すると、擬似図柄変動のスーパーリーチ演出が確定し、大当り期待度がさらに上昇する。なお、図では窓枠が拡大すると擬似図柄が隠れる構成としたが、窓枠に関係なく擬似図柄が確実に視認できるように表示しても特に問題ない。
【００８８】
図１３は、演出図柄表示装置６に表示する２種類の特定予告演出（セリフ予告演出、期待度メータ予告演出）の表示例となる。図１３（１−ａ）は、セリフ予告演出の表示例となり、擬似図柄の変動開始から所定時間（ステップアップ予告の第１ステップが出現するのとほぼ同一時間）が経過すると出現する第１実行タイミング（本発明の第１の実行タイミング）と、当初はステップアップ予告を実施しながらも、当該ステップアップ予告が次回のステップに変化するタイミングで出現する第２実行タイミング（本発明の第２の実行タイミング）とのどちらかで開始される。なお、第２実行タイミングについては図１７を用いて後述する。
【００８９】
セリフ予告演出の具体的な表示内容は、上記したタイミングで画面に遊技ボタン６７の略図とボタン操作の有効期間を示すメータで構成されたボタン操作要求図柄を表示する。この時、擬似図柄表示領域は縮小される。有効期間内に遊技ボタン６７が操作されると、図１３（１−ｂ）に示すようにキャラクタとセリフが表示され、表示されたセリフの種類に応じて大当りの期待度を示唆する。
【００９０】
図１３（２−ａ）は、期待度メータ予告演出の表示例となる。期待度メータ予告演出も、擬似図柄の変動開始から所定時間（ステップアップ予告の第１ステップが出現するのとほぼ同一時間）が経過すると出現する第１の実行タイミング（本発明の第１の実行タイミング）と、当初はステップアップ予告を実施しながらも、当該ステップアップ予告が次回のステップに変化するタイミングで出現する第２の実行タイミング（本発明の第２の実行タイミング）とのどちらかで開始される。
【００９１】
具体的な表示内容は、上記したタイミングで画面に遊技ボタン６７の略図と連打の文字と矢印と連打の実施回数を示すメータで構成したボタン「連打」操作要求図柄を表示する。この時、擬似図柄表示領域は縮小される。表示に従って遊技ボタン６７が連打されると、当該変動の期待度に応じて期待度メータが伸長する。
【００９２】
ステップアップ予告の第１ステップと特定予告演出の第１実行タイミングとは擬似図柄の開始からほぼ同一のタイミングとなるが、ステップアップ予告の第１ステップ出現時の大当り期待度と特定予告演出の第１実行タイミングによる出現時の大当り期待度とでは、特定予告演出の第１実行タイミング実施時の方が高く、さらにセリフ予告と期待度メータ予告では期待度予告メータの期待度の方が高い。本実施例では特定予告演出を２種類として説明したが、さらに数は多くてもよく、ステップアップ予告以外の予告演出は全て特定予告演出（第１実行タイミングと第２実行タイミングとを備える）としてもよい。なお、ほぼ同一のタイミングと表現したが、厳密な同一タイミングである必要はなく、いずれかが開始されると他方が行なわれないことが確定することを遊技者が把握できればよく、それが可能ならば時間的に開始時間が異なっていてもよい。
【００９３】
図１４は、演出図柄表示装置６に表示する２種類の特定リーチ演出（達吉リーチ、修行リーチ）の表示例となる。（１）は一般的なノーマルリーチとなり、左右の擬似図柄が同図柄で停止後、中擬似図柄が所定時間変動を継続し停止する。
【００９４】
図１４（２）は、達吉リーチの表示例となる。達吉リーチは、（１）のノーマルリーチの成立から所定時間が経過すると出現する第１実行タイミングと、当初はステップアップ予告を実施しながらも、当該ステップアップ予告が次回のステップに変化するタイミングで出現する第２実行タイミングとのどちらかで開始される。なお、第２実行タイミングについては図１８を用いて後述する。
【００９５】
達吉リーチの具体的な表示内容は、擬似図柄表示領域が縮小しながら画面右下に移動し、画面のほぼ中央に出現したキャラクタ（熊の達吉）が、画面上で移動する「Ｖ」を捕まえようとする態様を表示し、「Ｖ」が捕まれば大当りとなる。
【００９６】
図１４（３）も、特定リーチ演出となる修行リーチの表示例となる。修行リーチも、（１）のノーマルリーチの成立から所定時間が経過すると出現する第１実行タイミングと、当初はステップアップ予告を実施しながらも、当該ステップアップ予告が次回のステップに変化するタイミングで出現する第２実行タイミングとのどちらかで開始される。
【００９７】
修行リーチの具体的な表示内容は、擬似図柄表示領域が縮小しながら画面右上に移動し、画面のほぼ中央に出現したキャラクタが、画面上の岩を素手で砕こうとする態様を表示し、岩が徐々に小さくなり全て砕かれると大当りとなる。なお、本実施例では特定リーチ演出を２種類として説明したがさらに種類を増やす構成も当然考えられる。
【００９８】
図１５は、擬似図柄の基本的な変動とステップアップ予告演出の出現タイミングとの関係を示す図となる。変動開始時から左中右の全ての擬似図柄が上から下への変動を開始し、左擬似図柄（一番最初に停止する擬似図柄）が停止する以前に第１ステップから第４ステップまでの変化を上述した内容で順番に実施する。ステップアップ予告演出が実施される場合、変動する図柄の期待度に応じて、第１ステップのみで終了する場合もあれば、第４ステップまで段階的に変化する場合もある。
【００９９】
左擬似図柄停止後、右擬似図柄が停止した時点で左右同図柄ならリーチが成立する。図１４（１）のノーマルリーチであれば、そのまま中擬似図柄が所定時間変動して停止することで確定図柄を表示し、図１４（２）の達吉リーチ又は（３）の修行リーチであれば、リーチ成立後に中擬似図柄が所定時間変動後発展し、この発展タイミングが特定リーチ演出の第１実行タイミングとなる。
【０１００】
また、第１実行タイミングでは、擬似図柄でリーチが成立すると、どちらのリーチに発展するかに興味を抱くことができる。例えば達吉リーチの方が大当りの期待度が高い場合は、達吉が出現することを期待するようになる。また、本実施例ではステップアップ予告演出と特定リーチ演出の第１実行タイミングとはタイミング的に全く重なることなく表示することができ、ステップアップ予告が出現した後にリーチ演出に移行という演出の流れができる。
【０１０１】
図１６は、擬似図柄の基本的な変動と、セリフ予告演出，期待度メータ予告演出（特定予告演出）の第１実行タイミング（本発明の第１の実行タイミング）との関係を示す図となる。擬似図柄が変動を開始すると、ステップアップ予告演出の第１ステップが出現するタイミングとほぼ同一のタイミングでセリフ予告演出又は期待度メータ予告演出とが出現する。この出現タイミング（ステップアップ予告演出の第１ステップが出現するタイミング）が特定予告演出の第１実行タイミングとなる。従って、第１実行タイミングでどの予告（ステップアップ予告、セリフ予告、期待度メータ予告）が出現するかで当該タイミング時の期待感が異なるものになる。第１実行タイミングで開始したセリフ予告演出又は期待度メータ予告演出は、ステップアップ予告と同様に左擬似図柄が停止する以前に予告演出を終了する。
【０１０２】
ステップアップ予告と他の特定予告演出は実行タイミングが同じであるため、遊技者はどの予告演出が実行されるかに興味を抱くことができ、例えばセリフ予告が最も大当りの期待度が高い予告演出ならば、遊技者はセリフ予告が開始されることを期待するようになる。
【０１０３】
図１７は、擬似図柄の基本的な変動と、ステップアップ予告実施時の特定予告演出（図例では期待度メータ予告演出）の第２実行タイミング（本発明の第２の実行タイミング）との関係を示す図となる。擬似図柄が変動を開始し、図１５で説明した内容でステップアップ予告演出の第１ステップが出現し、引き続き次の段階の第２ステップへ変化し、さらに第３ステップへ変化するタイミングが表示例における特定予告演出の第２実行タイミングとなり、図例では期待度メータ予告が出現している。
【０１０４】
図１７の表示例では、第３ステップに変化するタイミングを特定予告演出の第２実行タイミングとしたが、第２ステップ、又は第４ステップに変化するタイミングで特定予告演出が出現してもよく、第１ステップ以外のステップアップ予告演出の段階変化タイミングで特定予告演出が出現すると、その段階変化タイミングが第２実行タイミングとなる。
【０１０５】
また、期待度メータ予告は第１実行タイミングの時は擬似図柄が全て変動表示中に期待度を報知するものであるが、第２実行タイミングの時は擬似図柄が全て変動表示中である必要はなく、リーチが成立している状態で期待度が報知される構成でもよい。その場合、第２実行タイミングで期待度メータ予告が開始される時はリーチ成立が確定する構成としてもよい。そうなれば、第１実行タイミングでの期待度メータ予告は大当りの期待度およびリーチ発生の報知も兼ねる予告演出となり、第２実行タイミングでの期待度メータ予告は開始されたリーチの大当り期待度を報知する予告演出とすることができる。このように１つの予告演出を実行されるタイミングが異なるせることにより、異なる役割を与えることができる。
【０１０６】
図１８は、擬似図柄の基本的な変動と、ステップアップ予告実施時の特定リーチ演出（図例では達吉リーチ演出）の第２実行タイミングとの関係を示す図となる。擬似図柄が変動を開始し、図１５で説明した内容でステップアップ予告演出の第１ステップが出現し、引き続き次の段階の第２ステップへ変化し、さらに第３ステップへ変化するタイミングが表示例における特定リーチ演出の第２実行タイミングとなり、図例では達吉リーチが出現している。
【０１０７】
図１８の表示例では、ステップアップ演出が第３ステップに変化するタイミング（左擬似図柄さえ未だ停止していない状態）で、画面がいきなり達吉リーチに変化する様子を示している。このように第２実行タイミングの場合は、擬似図柄でリーチが成立する前に達吉リーチの表示が開始されるため、ステップアップ演出の途中であることも含めて遊技者にインパクトを与えることができる。また、達吉リーチの表示が開始されることにより、擬似図柄でリーチ成立が確定することになり、遊技者は通常タイミングに比べ事前にリーチ成立を知る事ができるようになる。
【０１０８】
また、表示例では、第３ステップに変化するタイミングを特定リーチ演出の第２実行タイミングとしたが、第２ステップ、又は第４ステップに変化するタイミングで特定リーチ演出が出現してもよく、第１ステップ以外のステップアップ予告演出の段階変化タイミングで特定予告演出が出現すると、その段階変化タイミングが第２実行タイミングとなる。
【０１０９】
以上が実施例１の説明となる。ステップアップ予告演出は、大当たり期待度が高ければ高い段階までステップアップする割合が高いが、言い換えれば段階が進まなければ大当りが期待できないという特徴があるのに対し、本実施例では、段階が進まなくても他の特定予告演出や特定リーチ演出が出現する可能性があることにより、遊技者に意外性のある演出を提供できると共に、ステップアップ予告演出が発生した場合はどの段階数でも期待を持たせることができる。
【０１１０】
特定予告演出が第１実行タイミングで実行されず、代わりにステップアップ予告演出が実行されたとしても、特定予告演出は第２実行タイミングを備えるため依然実行される可能性を持つことができ、期待を持ち続けることができる。特定リーチ演出に対しても、擬似図柄でリーチ成立してから実行する場合と、ステップアップ予告演出中に実行される場合とを備えたため、どちらのタイミングで特定リーチ演出が開始されるか楽しみを与えることができる。
【０１１１】
実施例においては、第２実行タイミングで出現する特定予告演出として、セリフ予告と期待度メータ予告を例として説明したが、特定予告演出となるのはステップアップ予告演出以外で出現する全ての予告演出としてもよい。
【０１１２】
また、実施例においては、第２実行タイミングで出現する特定リーチ演出として、達吉リーチと修行リーチを例として説明したが、ノーマルリーチを含む全てのリーチを特定リーチ演出としてもよい。
【実施例２】
【０１１３】
次に、実施例２を説明する。実施例２におけるパチンコ遊技機を構成する部品とその電気的接続は実施例１と共通であり、特別に説明のない部分については共通内容であり重複する説明は割愛する。
【０１１４】
実施例１では、特定予告演出と特定リーチ演出とがそれぞれに第１実行タイミングと第２実行タイミングとを備え、どちらの第２実行タイミングも、ステップアップ予告演出の第１ステップ以外のいずれかのステップ（段階変化時）で出現可能な構成としたが、実施例２では、特定予告演出と特定リーチ演出とが実施例１と同様にステップアップ予告演出の段階変化時に出現する構成としながらも、第１ステップを除く各ステップで出現する特定予告演出と特定リーチ演出とがステップ毎に固定された構成となる。
【０１１５】
具体的な演出例を図１９に示す。図１９は、ステップアップ予告演出の第２ステップ以降の各ステップに出現を固定された特定予告演出と特定リーチ演出の種類を示している。図に示すように、ステップアップ予告演出を開始すると、第２ステップではステップアップ予告演出がそのままステップアップするか、第１特定予告演出としてセリフ予告、又は第１特定リーチ演出として達吉リーチがほぼ同一タイミングで出現する。
【０１１６】
同様にステップアップ予告演出の第２ステップから第３ステップも、ステップアップ予告演出がそのままステップアップするか、第２特定予告演出として期待度メータ予告、又は第２特定リーチ演出として修行リーチがほぼ同一タイミングで出現する。
【０１１７】
上記の構成にすることにより、第２ステップの段階でのステップアップ予告としての期待度が第１特定予告に比較して低いものとすれば、遊技者は第１特定予告に移行することを期待し、結果としてステップアップ予告として次の第３ステップに移行してもステップアップ予告として期待度がアップすることになり、従来のステップアップ予告演出よりも、各ステップにおいて複数通りの期待感を持たせることができる。
【０１１８】
また、第１特定予告演出の方が第２特定予告演出よりも期待度を高く設定すれば、ステップアップ予告演出としてはステップアップ数が増えて言った方が期待が高くなるが、ステップ数が少ない段階で特定予告演出に移行した方が期待が高くなるという、ステップ数が少なくても多くても期待を持てる演出となる。これは特定リーチ演出も同様である。
【０１１９】
また、各特定予告演出及び各特定リーチ演出は、ステップアップ予告演出の流れからだけではなく、一般的な予告又はリーチと同様に擬似図柄の変動の流れから単独で実施する場合もあるため、それぞれが単独で実施された場合の期待度は、第１特定予告演出よりも第２特定予告演出の方が大きく、同様に第１特定リーチ演出よりも第２特定リーチ演出の方が期待度を大きく設定するのが好適である。
【０１２０】
また、ステップアップ予告演出の流れからでは第１特定予告演出の方が期待度が高く、単独で実施された時は第２特定予告演出の方が期待度が高いといったように構成すれば、同じ特定予告演出でもどちらの実行タイミングで開始されたかで期待度を変えることができるようになる。
【０１２１】
この期待度の設定により、ステップアップ予告演出の流れで特定予告演出又は特定リーチ演出が出現した場合、ステップアップ予告演出として段階が進むほど期待度が大きくなるのと同様に、ステップアップ予告演出の流れで各特定予告演出と各特定リーチ演出とが出現した場合でも、遊技の進行に応じた期待感を与えることができる。
【０１２２】
次に、図２０から図２２を用いて、ステップアップ予告演出の変形例を説明する。図２０は、ステップアップ予告演出の各ステップの表示態様の変形例として、第１ステップが出現した場合の演出図柄表示装置６の表示内容を示している。
【０１２３】
この場合の表示内容は、次のステップアップタイミングで進行可能な演出名が区別可能に表示され、具体的な表示例として、画面上部に４個の枠が横に並び、該枠内には左から「ステップ２」、「セリフ予告」、「達吉リーチ」、「失敗」の文字列が表示される。この表示例は図１９に示した演出の流れに基づく内容であり、最終ステップ以前であれば、同様の構成での演出表示が行える。
【０１２４】
これにより、事前知識のない遊技者に対しても、ただステップアップ予告演出がステップ数をアップしていくだけでなく、特定予告演出や特定リーチ演出に移行する可能性のあるものだと認識することができる。また、この時に何個移行先が表示されるかにより期待度を示しても良い。例えば、「ステップ２」と「セリフ予告」だけが表示された場合、ステップアップが「失敗」することは否定され、「セリフ予告」が行なわれるか「ステップ２」に発展することが確約された状態を示すことができ、「達吉リーチ」のみが表示された場合は４個表示されて移行する時よりも大当りの期待度が高いことを示すといった用い方もできる。また、枠の色などでもっとも移行する可能性の高い枠を示したり、移行した場合大当りの期待が高い枠を示すことも考えられる。
【０１２５】
図２１は、ステップアップ予告演出と特定予告演出、及び特定リーチ演出とのステップアップ構成の変形例１となる。図に示すように、ステップアップ予告演出の各ステップで特定予告演出又は特定リーチ演出が出現する場合、どの特定予告演出又は特定リーチ演出がどのステップで出現するかが固定された構成となり、図例では、第２ステップのタイミングでセリフ予告、第３ステップのタイミングで達吉リーチ、第４ステップのタイミングで期待度メータ予告、第５ステップのタイミングで修行リーチ、第６ステップのタイミングで全回転リーチ（大当り確定リーチ）、の構成が確定している。
【０１２６】
これにより、ステップアップ予告演出が第５ステップまでステップアップした場合、第５ステップから最終第６ステップに変化するよりも、大当り確定演出となる全回転リーチが出現することを期待させることができる。このように、ステップ数と特定予告演出、特定リーチ演出の組み合わせにより、ステップ毎に、ここはステップアップしていった方がアツい、ここはステップアップよりも特定リーチ演出に移行した方がアツいといった、ただステップ数がアップすれば期待度が高くなるといった演出とは異なった楽しみを与えることができる。
【０１２７】
図２２は、ステップアップ予告演出と特定予告演出、及び特定リーチ演出とのステップアップ構成の変形例２となる。図２２に示すように、ステップアップ予告から特定予告演出に移行することにより（図例では、第３ステップに変化せずにセリフ予告に移行した場合）、当該特定予告演出の後から改めてステップアップ予告を開始する構成となっている。
【０１２８】
この場合、セリフ予告を挟んで同一のステップアップ予告演出を繰り返しても良いし、特定予告演出経由専用のステップアップ予告演出を開始してもよい。このようにすれば、作り方によっては最初のステップアップ予告で第３ステップまで発展したのに、新たに第１ステップから始まったステップアップ予告では第２ステップで終了させたり、逆に第４ステップまで発展させたりすることができ、ステップ数に囚われない演出を行うことができる。
【０１２９】
また、セリフ予告が挟まれたステップ数に応じた専用のステップアップ予告を開始する構成ならば、例えば第３ステップでセリフ予告が挟まり、第３ステップ専用のステップアップ予告が開始された場合は第１ステップで停止した方が大当りの期待度が高く、逆に第１ステップでセリフ予告が挟まり、第１ステップ専用のステップアップ予告が開始された場合は第４ステップまで発展した方が大当りの期待度が高いといったように、元のステップアップ予告とは異なる期待度設定のステップアップ予告を実行することが考えられる。
【０１３０】
なお、実施例ではセリフ予告を介して再度ステップアップ予告を行っているが、
他の予告演出を挟まずにステップアップ予告をやり直すという演出にして、その場では何ら期待度を示唆しない構成にし、ステップアップ予告での示唆に専念させることも考えられる。
【産業上の利用可能性】
【０１３１】
以上のように、本発明の遊技機によれば、ステップアップ予告演出と複数の実行タイミングを備えた特定予告演出又は特定リーチ演出とをステップアップ演出の発展タイミングで出現するように構成することで、発展しなければ期待度が低いというステップアップ予告のデメリットを補いながら意外性のある予告演出を提供することが可能な遊技機となり、ステップアップ予告演出とそれ以外の複数の予告演出又はリーチ演出を備えた遊技機に適用することができる。
【符号の説明】
【０１３２】
１    遊技盤
６    演出図柄表示装置
１１    第１始動口
１２    第２始動口
１５    普通電動役物
１４    大入賞口
１７    ゲート
８０    主制御装置
８２    演出図柄制御装置
８３    サブ統合制御装置
【図１】
2018038651.tif 000003
【図２】
2018038651.tif 000004
【図３】
2018038651.tif 000005
【図４】
2018038651.tif 000006
【図５】
2018038651.tif 000007
【図６】
2018038651.tif 000008
【図７】
2018038651.tif 000009
【図８】
2018038651.tif 000010
【図９】
2018038651.tif 000011
【図１０】
2018038651.tif 000012
【図１１】
2018038651.tif 000013
【図１２】
2018038651.tif 000014
【図１３】
2018038651.tif 000015
【図１４】
2018038651.tif 000016
【図１５】
2018038651.tif 000017
【図１６】
2018038651.tif 000018
【図１７】
2018038651.tif 000019
【図１８】
2018038651.tif 000020
【図１９】
2018038651.tif 000021
【図２０】
2018038651.tif 000022
【図２１】
2018038651.tif 000023
【図２２】
2018038651.tif 000024